(57)【要約】【課題】  ハンドセット使用者が通信装置を隣接して使用する時の電磁波吸収率の値をできるだけ小さくし，ハンドセットから放出されるラジオ周波数エネルギーの影響が使用者に及ぶ恐れをできるだけなくすことのできる通信装置を提供する。【解決手段】  使用者に隣接してラジオ周波数信号を送受信する通信装置において，ラジオ周波数信号の放射要素９４と，放射要素９４から一定距離離隔され，放射要素９４と共に動作する接地板９１と，放射要素９４の付近に配置され，使用者に向かう方向に放出されるエネルギーを減少させる導電性の構成要素１０８と，を含み，放射要素９４から放出されるエネルギーは，導電性の構成要素１０８に電流を誘導させ，使用者から遠ざかる方向に大きい電流分布を形成させることにより，使用者への電磁波吸収率を減少させることができる。【選択図】    図８
2005027278.tif 000002
【特許請求の範囲】
【請求項１】
使用者に隣接してラジオ周波数信号を送受信する通信装置において；
ラジオ周波数信号の放射要素と，
前記放射要素から一定距離に離隔され，前記放射要素と共に動作する接地板と，
前記放射要素の付近に配置され，前記使用者に向かう方向に放出されるエネルギーを減少させる導電性の構成要素と，
を備えることを特徴とする通信装置。
【請求項２】
前記導電性の構成要素は，前記使用者の電磁波吸収率を減少させることを特徴とする請求項１に記載の通信装置。
【請求項３】
前記接地板の少なくとも一部分を支持する印刷回路基板を，さらに具備することを特徴とする請求項１または２に記載の通信装置。
【請求項４】
前記放射要素及び接地板を囲むケースをさらに具備し，前記導電性の構成要素は，前記ケースの内部面または外部面に配置されることを特徴とする請求項１，２または３のいずれかに記載の通信装置。
【請求項５】
前記導電性の構成要素は，導電性材料及び前記導電性材料上に配置される接着性材料を含み，前記接着性材料を前記ケースの内部面または外部面に付けることによって，前記導電性の構成要素が前記ケースの内部面または外部面に堅く付着されることを特徴とする請求項１，２，３または４のいずれかに記載の通信装置。
【請求項６】
前記導電性の構成要素は，導電性インキまたは導電性金属であることを特徴とする請求項１，２，３，４または５のいずれかに記載の通信装置。
【請求項７】
前記導電性インキは，前記ケースの内部面に塗布されていることを特徴とする請求項６に記載の通信装置。
【請求項８】
前記導電性の構成要素は，前記接地板から遠ざかる方向に配置されていることを特徴とする請求項１，２，３，４，５，６または７のいずれかに記載の通信装置。
【請求項９】
前記導電性の構成要素は，前記ラジオ周波数信号の指向器として動作することを特徴とする請求項１，２，３，４，５，６，７または８のいずれかに記載の通信装置。
【請求項１０】
前記放射要素と導電性の構成要素との間の距離は，約０．２インチであることを特徴とする請求項１，２，３，４，５，６，７，８または９のいずれかに記載の通信装置。
【請求項１１】
前記導電性構成要素の長さは，前記ラジオ周波数信号を波長λとして，約０．１λ〜０．２λであることを特徴とする請求項１，２，３，４，５，６，７，８，９または１０のいずれかに記載の通信装置。
【請求項１２】
前記導電性の構成要素は，前記使用者に対して，前記放射要素から遠ざかる方向に配置されることを特徴とする請求項１，２，３，４，５，６，７，８，９，１０または１１のいずれかに記載の通信装置。
【請求項１３】
使用者に隣接してラジオ周波数信号を送受信する通信装置において；
ラジオ周波数信号の放射要素と，
前記ラジオ周波数信号の一部分が前記使用者から遠ざかる方向に向かうように，前記放射要素に隣接して配置される導電性の構成要素と，
を備えることを特徴とする通信装置。
【請求項１４】
前記放射要素は，前記使用者と前記導電性の構成要素との間に配置されることを特徴とする請求項１３に記載の通信装置。
【請求項１５】
前記使用者から遠ざかる方向に向かうラジオ周波数エネルギーの増加に対応し，前記使用者の電磁波吸収率が減少することを特徴とする請求項１３または１４に記載の通信装置。
【請求項１６】
前記導電性の構成要素の大きさまたは位置は，前記ラジオ周波数信号の周波数によって決定されることを特徴とする請求項１３，１４または１５のいずれかに記載の通信装置。
【請求項１７】
前記導電性の構成要素の位置は，前記放射要素の幾何構造によって決定されることを特徴とする請求項１３，１４，１５または１６のいずれかに記載の通信装置。
【請求項１８】
前記導電性の構成要素の位置は，前記使用者との間の隣接関係によって決定されることを特徴とする請求項１３，１４，１５，１６または１７のいずれかに記載の通信装置。
【請求項１９】
使用する間は，前記使用者の耳に近接するように支持され，前記導電性の構成要素は，前記導電性の構成要素がない場合に吸収されるラジオ周波数エネルギーに比べて，前記使用者の耳付近に吸収されるラジオ周波数エネルギーを減少させることを特徴とする請求項１３，１４，１５，１６，１７または１８のいずれかに記載の通信装置。
【請求項２０】
前記ラジオ周波数エネルギーは，前記使用者から遠ざかる方向に増加する電流分布を生成するように，前記導電性の構成要素に対して電流を誘導することを特徴とする請求項１３，１４，１５，１６，１７，１８または１９のいずれかに記載の通信装置。
【請求項２１】
前記使用者から遠ざかる方向に増加する電流分布は，前記使用者から遠ざかる方向への近接場エネルギーを増加させ，前記使用者の方向への近接場エネルギーを減少させることを特徴とする請求項１３，１４，１５，１６，１７，１８，１９または２０のいずれかに記載の通信装置。
【発明の詳細な説明】
【技術分野】
【０００１】
本発明は，アンテナを有する通信装置に関するものであり，より詳細には通信装置がアンテナを使用してラジオ周波数のエネルギーを放出する時に，使用者の電磁波吸収率（Ｓｐｅｃｉｆｉｃ  Ａｂｓｏｒｐｔｉｏｎ  Ｒａｔｉｏ；ＳＡＲ）を減少させることができる通信装置に関するものである。
【背景技術】
【０００２】
一般的にアンテナの性能は，アンテナ構成要素の大きさ，形態及び材料成分と関連があって，またアンテナによって送受信される信号の波長とアンテナの特定物理的パラメータ（例えば，ループアンテナの直径及び線形アンテナの長さ等）間の関係と関連があるものとして知られている。
【０００３】
このようなパラメータ及びパラメータ間の関係は，入力インピーダンス，利得，指向性（Ｄｉｒｅｃｔｉｖｉｔｙ），信号偏光，動作周波数，帯域幅及び放射パターンを含む種々のアンテナ作動変数を決定する。作動可能なアンテナは，一般的に動作周波数の半波長（またはその倍数）単位で最小物理的アンテナの大きさ（または電気的な有効最小大きさ）が決定されなければならない。
【０００４】
このようにアンテナのパラメータを決定することで，抵抗損失によって消失するエネルギーを効果的に制限し，したがって転送エネルギーを最大化することができる。接地板上部の半波長（１／２波長）または１／４波長アンテナ（これらは半波長アンテナとして有効に作動する）が，最も一般的に使用される。
【０００５】
無線通信装置及びシステムの画期的な成長によって，物理的により小型で，目につきにくいながらも，広域動作，広域または多重周波数帯域及び／または多重モード（例えば，選択可能な放射パターンまたは選択可能な信号偏光）で動作できる，効率的なアンテナに対する必要性が高まっている。
【０００６】
セルラーフォンのハンドセット，他の携帯装置のような従来の小型の通信装備では，一般的な１／４波長及び半波長アンテナのための充分な空間が提供できない。したがって，関係する周波数帯域で動作し，他の必要なアンテナ動作特性（入力インピーダンス，放射パターン，信号偏光等）を提供しながら，物理的に小型であるアンテナに対する必要性が高まってきている。
【０００７】
半波長及び１／４波長ダイポールアンテナは，最も一般的な外部装着ハンドセットアンテナである。二つのアンテナ両方が，大部分のエネルギーが方位角（Ａｚｉｍｕｔｈ）方向に均一に放射され，仰角（Ｅｌｅｖａｔｉｏｎ）方向にはほとんどエネルギーが放射されない全方向性（Ｏｍｎｉｄｉｒｅｃｔｉｏｎａｌ）放射パターン（すなわち，よく知られた全方向性ドーナッツ形状）を示す。
【０００８】
特定の携帯通信装備で関係する周波数帯域は，１７１０〜１９９０ＭＨｚ，及び２１１０〜２２００ＭＨｚである。半波長ダイポールアンテナは１９００ＭＨｚで約３.１１インチの長さ，１７１０ＭＨｚでは約３.４５インチの長さ，２２００ＭＨｚでは約２.６８インチの長さを有する。典型的なアンテナ利得は，約２.１５ｄＢｉである。このような長さのアンテナは，大部分のハンドセット応用製品には適切でないと思われる。
【０００９】
接地板上に配置される１／４波長モノポールアンテナは，半波長ダイポールアンテナに由来している。アンテナの長さは１／４波長であるが，接地板の上部に位置する時は半波長ダイポールアンテナとして動作する。したがって，接地板上部の１／４波長モノポールアンテナの放射パターンは，半波長ダイポールアンテナと類似であり，典型的な利得は約２ｄＢｉである。
【００１０】
知られているいくつかの異なるタイプのアンテナを通信ハンドセット装置内に装着することができる。一般的に，このようなアンテナは，小さな外部輪郭を有することによってハンドセットパッケージの外装内の可能な空間内に合わせられるものが望ましい。ハンドセットケースから突出しているアンテナは，折れたり，または曲がって損傷したりすることがある。
【００１１】
また，ループアンテナは，ハンドセット内に装着可能なアンテナのうちのひとつである。一般的な，自由空間（Ｆｒｅｅ  Ｓｐａｃｅ；すなわち接地板の上部ではない）ループアンテナ（約１／３波長の直径を有する）も，放射軸（Ｒａｄｉａｌ  Ａｘｉｓ）に従うドーナッツ形状の放射パターンを示し，約３.１ｄＢｉの利得を有する。１９００ＭＨｚでループアンテナの直径は，約２インチである。典型的なループアンテナの入力インピーダンスは５０オーム（Ｏｈｍ；Ω）で優秀な整合特性を提供する。
【００１２】
また，平面放射及び／または給電要素を含むアンテナ構造物を，装着アンテナとして使用することができる。このようなアンテナのうちのひとつがフラループアンテナ（Ｈｕｌａ  Ｌｏｏｐ  Ａｎｔｅｎｎａ）であり，転送線アンテナ（すなわち，接地板上部の導電要素）として知られている。ループは必ず誘導性（Ｉｎｄｕｃｔｉｖｅ）であり，したがってアンテナは共振構造を形成するように接地板とフラループ導体の一端部の間に連結されたキャパシティを含むようになる。他の端部は受信または転送信号のための給電点（Ｆｅｅｄ  Ｐｏｉｎｔ）として作用する。
【００１３】
また，印刷されたアンテナまたはマイクロストリップアンテナを使用することもでき，印刷回路基板の製作に使用されるパターニング技術とエッチング技術を利用して形成される。このようなアンテナは，大きさが小さいこと，製作の容易性，及び相対的に低い製作費用であることから，一般的に使用される。
【００１４】
通常，印刷されたアンテナまたはマイクロストリップアンテナは，誘電体の基板上にあるパターニングされた金属層が放射要素として機能する。印刷アンテナのひとつの形態であるパッチアンテナは，接地板を覆う誘電体基板と，上部の誘電体面を覆う放射要素とを含む。パッチアンテナは約３ｄＢｉの利得を有し，放射パターンは方向性半球型の範囲（Ｄｉｒｅｃｔｉｏｎａｌ  Ｈｅｍｉｓｐｈｅｒｉｃａｌ  Ｃｏｖｅｒａｇｅ）を提供する。
【００１５】
他のタイプの印刷またはマイクロストリップアンテナとしては，対向面上に配置される接地板がある誘電体基板の一面上に望ましい形状で形成される導電体の構成要素（Ｃｏｎｄｕｃｔｉｖｅ  Ｅｌｅｍｅｎｔ）を具備する螺旋形アンテナ及びシニュアスアンテナ（Ｓｉｎｕｏｕｓ  Ａｎｔｅｎｎａ）を用いることができる。
【００１６】
ハンドセット装置内に装着されるのに適切な他のアンテナとしては，特許文献１で“二重帯域の螺旋形アンテナ”という名称で開示されているデュアルループアンテナまたはデュアル螺旋形アンテナがある。前記アンテナは，多重周波数帯域及び／または広域幅の動作が可能であり，大きさが小さく，比較的安い製作費用にもかかわらず，比較的高い放射効率及び利得を示す。
【００１７】
上記のように，ハンドセット装置内に装着されるのに適切な螺旋形アンテナの一例を図１に示す。螺旋アンテナ８は，接地板１２の上部にある放射要素（Ｒａｄｉａｔｉｎｇ  Ｅｌｅｍｅｎｔ）１０を含む。接地板１２は誘電体基板によって分離される上部及び下部の導電性材料表面，または他の実施例では誘電体基板上に配置される一つの導電性材料板からなる。
【００１８】
放射要素１０は，接地板との間にある誘電性間隙（例えば空気または他の公知の誘電物質を含む）１３によって接地板１２と離隔されているものの実質的に接地板に平行するように配置される。一実施例では，接地板１２と放射要素１０間の距離は約５ｍｍである。こうして，図１に示す螺旋形アンテナは，一般的なハンドセット通信装置内に挿入されるのに適当な大きさとなるように構成する。
【００１９】
螺旋アンテナ８の放射要素１０の一例を図２に示す。放射要素１０には，給電ピン１４及び接地ピン１５が示されている。給電ピン１４の片方端部は放射要素１０と電気的に連結されている。他方の端部は接地板１２の縁２０に延長される給電跡形（Ｆｅｅｄ  Ｔｒａｃｅ）１８に電気的に連結されている。転送モードでアンテナ８に信号を供給して受信モードでアンテナ８からの信号に応答するために，連結部（Ｃｏｎｎｅｃｔｏｒ；図１には図示せず）が給電跡形１８に連結されている。
【００２０】
知られているように，給電跡形１８は接地板１２の導電性面から絶縁されている。また，給電跡形１８は，給電跡形１８周囲の導電性材料領域を除去して給電跡形１８が接地板１２から絶縁させる方式によって，接地板１２の導電性材料で形成される。
【００２１】
放射要素１０は，図２に詳細に示されるように，誘電体基板２８上に配置され，お互い連続して連結された二つのループ導電体（以下では，これを螺旋部または螺旋領域と称する）で形成される。外部ループ２４は，主要放射領域としてアンテナ共振周波数全体にわたり主要な影響を及ぼす。内部ループ２６のアンテナは主にアンテナ利得及び帯域幅に影響を及ぼす。
【００２２】
しかし，内部ループ２６と外部ループ２４との間には，目につく電気的な相互作用があるものとして知られている。したがって，相互関係が複雑であるために，いずれか一つまたは他のひとつがアンテナパラメータを決定しているとするのは，技術的に単純化しすぎている。また，放射部１０が内部ループ２６及び外部ループ２４を含むものとして説明されているが，この二つの構成要素の間に絶対的な境界はない。
【００２３】
螺旋形アンテナの他の例として，図３に螺旋アンテナ４０を示す。螺旋アンテナ４０は，８２４〜８９４ＭＨｚ及び１８５０〜１９９０ＭＨｚであるセルラー及び個人携帯通信サービス（ＰＣＳ：Ｐｅｒｓｏｎａｌ  Ｃｏｍｍｕｎｉｃａｔｉｏｎ  Ｓｅｒｖｉｃｅｓ）帯域内で作動し，ハンドセット通信装置のためのエンベデッドアンテナ（Ｅｍｂｅｄｄｅｄ  Ａｎｔｅｎｎａ）として使用されるにも適している。
【００２４】
この螺旋アンテナ４０は，比較的薄い導電性材料(例えば，銅)の板で形成され，一般的に螺旋形態を有する放射部４２を含む。螺旋形態とは例えば，内部螺旋領域（またはループ）４４と外部螺旋領域（またはループ）４６を含むことを意味する。内部螺旋領域４４及び外部螺旋領域４６の間の物理的な境界線はなく，むしろこのような区分は放射部４２の概略的な領域と関連がある。また給電ピン５０及び接地ピンまたは短絡ピン５２が放射部４２面から下にのびている。
【００２５】
通信装置内に螺旋アンテナ４０が設置される場合は印刷回路基板に装着される。信号は，印刷回路基板上の給電跡形（Ｆｅｅｄ  Ｔｒａｃｅ）から給電ピン５０に給電（供給）されるか，またはそれから受信される。また，短絡ピン５２が印刷回路基板の接地板に連結される。通信装置の転送及び受信機能を提供するために，螺旋アンテナ４０と共に動作できるように電気的な構成要素（Ｅｌｅｃｔｒｉｃａｌ  Ｃｏｍｐｏｎｅｎｔｓ）も印刷回路基板上に装着される。螺旋アンテナ４０は，ハンドセットや，空間が重要な他の応用機器内に設置するのに適切な大きさであって，必要な動作特性を提供できるように，コンパクトな螺旋形放射部を有している。
【００２６】
次に，セルラー電話のような一般的なハンドセットを使用する場合の使用者付近の構成について図４に示す。従来のハンドセット６０は，使用者６４の耳６２に近く配置される動作位置で，ラジオ周波数エネルギーを受信及び／または放出する。この時用いられるハンドセット６０の一例について，図５に構成を示す。ハンドセット６０は，接地板７１を支持する印刷回路基板７０に，物理的及び電気的にエンベデッドアンテナ６８が形成され，全体を囲むハンドセットケース６６を備えている。
【００２７】
一般的に，接地板７１は，印刷回路基板７０の所定領域に配置される導電性領域からなり，印刷回路基板７０の残り領域には，電子的な構成要素及び連結のための導電性跡形（Ｃｏｎｄｕｃｔｉｖｅ  Ｔｒａｃｅ；図５には図示せず)が形成されている。接地板７１は，アンテナ６８と相互作用して望ましい転送及び受信特性を発生する。
【００２８】
ここで，図５に示すエンベデッドアンテナ６８として，たとえば，上記で説明した図３の螺旋アンテナ４０または，図１及び図２の螺旋アンテナ８のように，板のような構造で形成されるものを例示したが，それに限定されず，下記に追加説明するように使用者の電磁波吸収率（ＳＡＲ）を制限するために多様なアンテナタイプを適用することができる。
【００２９】
エンベデッドアンテナ６８の構成は，放射要素（Ｒａｄｉａｔｉｎｇ  Ｅｌｅｍｅｎｔ）７４と，印刷回路基板７０と，印刷回路基板７０上に装着された電子的な構成要素及び導電性跡形と，印刷回路基板７０内に形成された接地板７１に付着させるための物理的及び／または電気的な連結要素７６とを備えている。放射要素７４は，接地板７１と共に機能して前述したような一種のアンテナとして動作する。
【００３０】
すなわち，ハンドセット６０が転送モードで動作している時にはエンベデッドアンテナ６８がラジオ周波数のエネルギーを放出し，ハンドセット６０が受信モードで動作する時にはアンテナ６８がラジオ周波数エネルギーを受信するようにする。このようなエンベデッドアンテナ６８は，ハンドセット６０内に実装（Ｅｍｂｅｄｄｅｄ）されることができるかぎり，前述したアンテナや他のアンテナを含む多様なアンテナデザインを用いることができる。
【００３１】
【特許文献１】米国特許１０／２８５２９１号明細書
【発明の開示】
【発明が解決しようとする課題】
【００３２】
しかし，ハンドセット使用者と生産者とには，電話通話のように使用中に使用者の耳に隣接した時に，セルラー電話のハンドセットから放出されるラジオ周波数エネルギーの影響が使用者に及ぶ恐れがある。特に，ラジオ周波数エネルギーは脳細胞の加熱をもたらすこともありえる。したがって長時間及び頻繁な使用によって健康に悪い影響を起こすこともありえる問題点があった。
【００３３】
電磁波吸収率（Ｓｐｅｃｉｆｉｃ  Ａｂｓｏｒｐｔｉｏｎ  Ｒａｔｅ；ＳＡＲ）は，ハンドセット装置を使用している時，使用者の身体に吸収される電磁波のエネルギーを示すものである。グラム当りミリワット（ｍＷ／ｇ）で表示される電磁波吸収率（ＳＡＲ）は，与えられた時間の間に人体単位重量で吸収されるラジオ周波数の電力の量を測る定量的（Ｑｕａｎｔｉｔａｔｉｖｅ）尺度である。
【００３４】
公共及び個人的な安全を保障するための関心によって，連邦通信委員会（Ｆｅｄｅｒａｌ  Ｃｏｍｍｕｎｉｃａｔｉｏｎ  Ｃｏｍｍｉｓｓｉｏｎ；ＦＣＣ）及び他の規制団体はセルラー電話のハンドセットに対するＳＡＲの限度を明らかにしている。そうしたＳＡＲの限度以内で動作するハンドセットは，使用者の脳細胞に有害な加熱効果をおよばないものとして信じられている。１９９６年８月１日以後に製造されるあらゆるセルラーハンドセットは，ＦＣＣ強制限度によってテストを受けなければならない。例えば，オーストラリア，米国及びカナダでのＳＡＲの限度は１．６ｍＷ／ｇである。
【００３５】
上記ハンドセット６０を用いて使用者６４が通話を行った場合の，ラジオ周波数エネルギーの影響を示したのが図６である。印刷回路基板上の接地板と結合して１８５０ＭＨｚ〜１９９０ＭＨｚの個人携帯通信（ＰＣＳ）の帯域内で動作するように設計されたアンテナの一般的な近接場放射パターン１００を図示している。典型的なハンドセットの大きさを基準に，印刷回路基板７０は約２インチの幅を有し，したがって基板上に配置される接地板７１も約２インチの幅を有する。
【００３６】
個人携帯通信周波数帯域の周波数で，２インチは約半波長に該当する。半波長の構造は，ラジオ周波数の波動に影響を及ぼす反射構成要素として機能するので，エンべデッドアンテナ６８から使用者６４側に向かうエネルギーの大部分は，印刷回路基板７０上に装着される接地板７１によって使用者から遠ざかる方向に反射される。そのため，一般的な放射パターン１００が図示されたようになる。
【００３７】
しかし，ＡＭＰＳ及びＣＤＭＡセルラー電話システムは，８２４〜８９４ＭＨｚの周波数帯域で動作し，対応する波長は約１４．２インチないし１３．０インチである。このような波長の信号に対しては，印刷回路基板７０上の接地板(約２インチの幅を有する)７１が個人携帯通信（ＰＣＳ）で観察されるもののような有利な反射特性を提供しない。
【００３８】
結果的に近接場の放射パターン１０２は，図７に示されたように実質的に全方向性の放射になることによって，使用者６４の組織内でＳＡＲの限度が超過するようになる。８８０〜９６０ＭＨｚ帯域のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）標準下で，エンベッドアンテナとして動作するセルラー電話または他のハンドセット装置も，パターン１０２と類似な放射パターンを発生する。
【００３９】
そこで，本発明は，このような問題に鑑みてなされたもので，その目的とするところは，ハンドセット使用者が通信装置を隣接して使用する時の電磁波吸収率の値をできるだけ小さくし，ハンドセットから放出されるラジオ周波数エネルギーの影響が使用者に及ぶ恐れをできるだけ小さくすることのできる通信装置を提供することである。
【課題を解決するための手段】
【００４０】
上記課題を解決するために，本発明のある観点によれば，使用者に隣接してラジオ周波数信号を送受信する通信装置において，ラジオ周波数信号の放射要素と，放射要素から一定距離に離隔され，放射要素と共に動作する接地板と，放射要素の付近に配置され，使用者に向かう方向に放出されるエネルギーを減少させる導電性の構成要素と，を備えることを特徴とする通信装置が提供される。
【００４１】
放射要素から放出されるエネルギーは，導電性の構成要素に電流を誘導させ，使用者から遠ざかる方向に大きい電流分布を形成させることにより，使用者への電磁波吸収率を減少させることができる。
【００４２】
また，接地板の少なくとも一部分を支持する印刷回路基板をさらに具備し，印刷回路基板上に連結要素を介して放射要素を形成することができる。さらに，放射要素及び接地板を囲むケースを具備し，導電性の構成要素が，ケースの内部面または外部面に配置されることが好ましい。
【００４３】
ここで，導電性の構成要素は，導電性材料及び導電性材料上に配置される接着性材料を含んでおり，接着性材料をケースの内部面または外部面に付けることによって，導電性の構成要素がケースの内部面または外部面に堅く付着することができる。この導電性の構成要素は，導電性インキまたは導電性金属であってもよい。導電性インキの場合は，ケースの内部面に塗布されていることが好ましい。
【００４４】
また，導電性の構成要素は，接地板から遠ざかる方向に配置，或いは，使用者に対して，放射要素から遠ざかる方向に配置することが望ましく，放射要素から放出されるエネルギーは，導電性の構成要素に電流を誘導させることができる。導電性の構成要素は，ラジオ周波数信号に指向性を持たせる指向器として，動作することが好ましい。
【００４５】
放射要素と導電性の構成要素との間の距離は，ケースの大きさに影響を受けるものであるが，導電性の構成要素に効果的に電流を誘導させるために，約０．２インチとすることが好ましい。また導電性構成要素の長さは，効果的に電流を誘導するために，ラジオ周波数信号を波長λとして，約０．１λ〜０．２λであることが好ましい。
【００４６】
上記課題を解決するために，本発明の別の観点によれば，使用者に隣接してラジオ周波数信号を送受信する通信装置において，ラジオ周波数信号の放射要素と，ラジオ周波数信号の一部分が使用者から遠ざかる方向に向かうように，放射要素に隣接配置される導電性の構成要素と，を備えることを特徴とする通信装置が提供される。ここで，放射要素は，使用者と導電性の構成要素との間に配置することができる。
【００４７】
放射要素から放出され，使用者から遠ざかる方向に向かうラジオ周波数エネルギーが増加すると，使用者から遠ざかる方向に大きい電流分布が形成され，使用者の電磁波吸収率を減少させることができる。
【００４８】
導電性の構成要素の大きさまたは位置は，ラジオ周波数信号の周波数によって決定することが望ましい。また，導電性の構成要素の位置は，放射要素の幾何構造，つまり，放射要素の形状や大きさや位置，或いは，使用者との間の隣接関係（扱い方法）によって変わるので，その構造に対応して決定することができる。
【００４９】
装置の使用中は使用者の耳に近接するように支持されるが，導電性の構成要素が，導電性の構成要素がない場合に吸収されるラジオ周波数エネルギーに比し，使用者の耳付近に吸収されるラジオ周波数エネルギーを減少させることができる。
【００５０】
このように，ラジオ周波数エネルギーは，使用者から遠ざかる方向に増加する電流分布を生成するように，導電性の構成要素に対して電流を誘導することができ，使用者から遠ざかる方向に増加する電流分布は，使用者から遠ざかる方向への近接場エネルギーを増加させ，使用者の方向への近接場エネルギーを減少させることができる。
【発明の効果】
【００５１】
以上説明したように本発明によれば，ラジオ周波数信号を送信及び受信するために使用者と隣接して動作する通信装置において，ラジオ周波数信号の放射要素から放出されるエネルギーが，放射要素の近隣に配置される導電性の構成要素に対して電流を誘導し，使用者の方向に放出されるエネルギーを減少させ，使用者への電磁波吸収率を減少させることができるものである。
【発明を実施するための最良の形態】
【００５２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００５３】
本実施の形態による図８に示された通信装置であるハンドセット８０は，放射要素９４と，その放射要素９４と共に動作する接地板９１と，ラジオ周波数信号の一部分が使用者から遠ざかる方向に向かうように，放射要素９４に隣接配置される導電性の構成要素１０８と，を備えている。
【００５４】
また，エンベッドアンテナ８８は，放射要素９４と，印刷回路基板９０と，特に印刷回路基板上に装着された電子的な構成要素及び導電性跡形と印刷回路基板内に形成された接地板９１に付着させるための物理的及び／または電気的な連結要素９６とからなっている。さらにハンドセット６０は，接地板９１を支持する印刷回路基板９０に物理的及び電気的に付着されるエンベッドアンテナ８８を囲むケースであるハンドセットケース８６を含んでいる。
【００５５】
ここで，接地板９１は，印刷回路基板９０の所定領域に配置される導電性領域からなり，印刷回路基板９０の残り領域には，電子的な構成要素及び連結のための導電性跡形が占める。接地板９１はエンベッドアンテナ８８と相互作用して望ましい転送及び受信特性を発生する。
【００５６】
図９には，使用者８４の耳８２に近く配置される動作位置で，ラジオ周波数エネルギーを受信及び／または放出するセルラー電話のような一般的なハンドセット８０のラジオ周波数エネルギーの影響を示す。
【００５７】
本実施の形態によると，導電性の構成要素(図８参照)１０８が，放射要素９４の近くに配置される。導電性の構成要素１０８は，図示されたようにハンドセットケース８６の外部表面１１０に固定され，導電性材料である，導電性ストリップまたは板（例えば，銅ストリップまたは板）からなる。
【００５８】
１つの例として，導電性の構成要素１０８はハンドセットケース８６の表面に容易に付着できるように接着性材料を含んだ接着面をさらに含む。このような接着性材料によって，ハンドセット８０の所有者は，直接容易にハンドセットケース８６に導電性の構成要素１０８を付着することができる。
【００５９】
また，放射要素９４及び導電性の構成要素１０８は，約０．１〜０．２インチ程度，離隔されている。放射要素９４の電気的及び機械的な特性によって離隔距離の違いによって効果が変化する。また，離隔距離は，ハンドセットケース８６の大きさに影響を受けるので，例えば，距離は，ラジオ周波数信号の波長をλとして，約０．１２５λより小さいことが望ましい。
【００６０】
アンテナ８８の放射要素９４によって放出されるラジオ周波数のエネルギーは，導電性の構成要素１０８に電流を誘導させ，結果的に使用者８４から遠ざかる方向により大きい電流分布を形成し，したがって同一な方向，すなわち使用者８４から遠ざかる方向に，より大きい近接場エネルギーを生成する。アンテナ８８は，一定の量のエネルギーのみを生成するために，使用者８４から遠ざかる方向へのエネルギーが増加すると使用者８４側方向の放出エネルギーが減少する。
【００６１】
導電性の構成要素１０８を使用する場合に，使用者８４から遠ざかる方向に放出されるエネルギーは，約０．２５〜０．５０ｄＢ程度増加し，使用者８４側方向に放出されるエネルギーは，同様量程度減少する。したがって，導電性の構成要素１０８は，使用者８４のＳＡＲ値を減少させるようになる。導電性構成要素１０８の使用によって形成される近接場放射パターン１２０の一例について，図９に示されている。
【００６２】
導電性の構成要素１０８は，放射要素９４の有効な電気的長さ（Ｅｆｆｅｃｔｉｖｅ  Ｅｌｅｃｔｒｉｃａｌ  Ｌｅｎｇｔｈ）より小さな長さを有することによって，エネルギーを使用者から遠ざかる側に向かうようにする。放射要素９４が半波長アンテナで動作する実施例では，導電性構成要素１０８の長さは，動作周波数(または動作周波数帯域)で約半波長より小さいこともありえる。
【００６３】
導電性の構成要素１０８の長さは，約０．１λ〜０．２λ（λはラジオ周波数信号の波長）が好ましく，例えば，約０．１λ〜０．１２５λとすることができる。導電性の構成要素１０８は，放射要素９４によって放出されるエネルギーに対して指向性を持たせるエネルギー指向器（Ｄｉｒｅｃｔｏｒ）として考えられることもできる。
【００６４】
導電性の構成要素１０８を，放射要素９４及び接地板９１と連動して使用されるものとして説明したが，導電性の構成要素１０８は，接地板と共に動作する放射要素を制限するものではない。したがって，本実施の形態による原理は，多様なアンテナ構造に適用することができる。
【００６５】
導電性の構成要素１０８の他の実施例について，図１０に示されたように導電性の構成要素１０８が，ハンドセットケース８６の内部面１２２上に配置される。例えば，導電性の構成要素１０８は，ハンドセット８８を製作する過程でケースの内部面に付着することができる。導電性の構成要素１０８をケース８６に付着するために接着剤(導電性の構成要素１０８に付着される，接着性の後面材料を含む)を使用することができる。もちろん，適切な接着であれば，既に知られた他の付着方法でもよい。
【００６６】
また，導電性の構成要素１０８の他の例として，導電性インキ領域をハンドセットケース８６の内部面または外部面に塗布またはプリントすることができる。また，導電性の構成要素として，導電性金属を用いても良い。
【００６７】
導電性の構成要素の大きさまたは位置は，ラジオ周波数信号の周波数や放射要素の幾何構造，つまり，放射要素の形状や大きさや位置や使用者との間の隣接関係（扱い方法）によっても変わるので，それに対応して決定することが望ましい。
【００６８】
本実施の形態の目的によって達成された結果を最適化するために，導電性の構成要素１０８の大きさ及び位置は，実装されたアンテナ８８の物理的特性及び動作特性を基に決定することによって，いくつかの性能パラメータの低下を防止する。一般的にＳＡＲの減少が最大になる導電性の構成要素１０８の大きさ及び位置は，特定のハンドセット８０のＳＡＲの減少を最大にするために，導電性の構成要素１０８の大きさと位置をいろいろと変化させることによって経験的に決定する。
【００６９】
また，導電性の構成要素の他の実施例について図１１に示す。使用者８４から遠ざかる方向と他の方向とに放射されるエネルギーを増加させるように，放射要素９４に対して配置することができる。図１１においては，矢印１３２で表示される概略的な方向に放射されるエネルギーを増加させることができるように，ケース８６の外部面１１０上に配置される導電性の構成要素１３０を図示する。導電性の構成要素１３０が，放射要素９４に対して正しい所に位置するように，適切に配置される支持構造を有し，ケース８６の外部領域に位置される。
【００７０】
さらに，導電性の構成要素の他の実施例として，図１２のように，近接場エネルギーを集中させるか，または指向させることができるように複数の導電性構成要素１０８，１０８Ａを，放射要素９４の周囲に配置させることもできる。このように，通信装置の使用者のＳＡＲを減少させることができる。
【００７１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７２】
本発明は，アンテナを有する通信装置に適用可能であり，特に，通信装置がアンテナを使用してラジオ周波数のエネルギーを放出する時に，使用者の電磁波吸収率を減少させることができる通信装置に適用可能である。
【図面の簡単な説明】
【００７３】
【図１】従来の通信装置に用いられるアンテナの一例を示す斜視図である。
【図２】図１の放射部の平面図である。
【図３】従来の通信装置に用いられるアンテナの他の例を示す斜視図である。
【図４】従来の，使用者の頭に隣接して位置するハンドセット装置の説明図である。
【図５】従来の通信装置の一例を示す説明図である。
【図６】従来の通信装置の放射パターンの一例を示す説明図である。
【図７】従来の通信装置の放射パターンの他の例を示す説明図である。
【図８】本実施の形態による通信装置の説明図である。
【図９】本実施の形態による通信装置の放射パターンの一例を示す説明図である。
【図１０】本実施の形態による通信装置の，導電性の構成要素の他の実施例を示す説明図である。
【図１１】本実施の形態による通信装置の他の例を示す説明図である。
【図１２】本実施の形態による通信装置の他の例を示す説明図である。
【符号の説明】
【００７４】
８０      ハンドセット
８４      使用者
８６      ハンドセットケース
８８      アンテナ
９０      印刷回路基板
９１      接地板
９４      放射要素
９６      連結要素
１０８      導電性の構成要素
１１０      外部面
１２０      近接場放射パターン
【図１】
2005027278.tif 000003
【図２】
2005027278.tif 000004
【図３】
2005027278.tif 000005
【図４】
2005027278.tif 000006
【図５】
2005027278.tif 000007
【図６】
2005027278.tif 000008
【図７】
2005027278.tif 000009
【図８】
2005027278.tif 000010
【図９】
2005027278.tif 000011
【図１０】
2005027278.tif 000012
【図１１】
2005027278.tif 000013
【図１２】
2005027278.tif 000014